【手続補正書】
【提出日】平成16年8月31日(2004.8.31)
【手続補正１】
【補正対象書類名】明細書
【補正対象項目名】特許請求の範囲
【補正方法】変更
【補正の内容】
【特許請求の範囲】
【請求項１】
プラスチック組成物からなる部材を備えた製品の廃棄物の再資源化方法であって、Ａ工程として、該廃棄物に含まれる同一系統のプラスチック組成物の比重が、それぞれ他の系統のプラスチック組成物と異なる一定の範囲内にある廃棄物を選択的に回収する工程と、Ｂ工程として、廃棄物を破砕する工程と、Ｃ工程として、破砕された廃棄物を金属系破砕物とプラスチック系破砕物と低嵩比重破砕物とに選別する工程と、Ｄ工程として、プラスチック系破砕物を比重の異なる複数の分離液を用いてプラスチック組成物の系統別に分離する工程と、Ｆ工程として、系統別に分離されたプラスチック組成物を特定の形状に成形する工程とを含むことを特徴とする廃棄物の再資源化方法。
【請求項２】
Ａ工程で選択的に回収される製品において、プラスチック組成物からなる部材は、ポリオレフィン系プラスチック組成物からなる部材、ポリスチレン系プラスチック組成物からなる部材およびその他の系統のプラスチック組成物からなる部材よりなる群から選ばれる１以上の部材であり、該ポリオレフィン系プラスチック組成物からなる部材の比重は０．８５〜１．００の範囲にあり、該ポリスチレン系プラスチック組成物からなる部材の比重は１．００〜１．０８の範囲にあり、該その他の系統のプラスチック組成物からなる部材の大部分の比重は１．０８〜２．００の範囲にあることを特徴とする請求項１に記載の廃棄物の再資源化方法。
【請求項３】
Ｄ工程において、比重が１．０１〜１．０８の範囲にあるＸ分離液と、比重が０．９２〜１．００の範囲にあるＹ分離液とを用いて、プラスチック系破砕物をプラスチック組成物の系統別に分離することを特徴とする請求項２に記載の廃棄物の再資源化方法。
【請求項４】
Ｄ工程において、Ｘ分離液を用いてポリオレフィン系プラスチック組成物からなる部材およびポリスチレン系プラスチック組成物からなる部材と、その他の系統のプラスチック組成物からなる部材とを分離した後、Ｙ分離液を用いてポリオレフィン系プラスチック組成物からなる部材と、ポリスチレン系プラスチック組成物からなる部材とを分離することを特徴とする請求項３に記載の廃棄物の再資源化方法。
【請求項５】
Ｄ工程とＦ工程の間において、Ｅ工程として、系統別に分離されたプラスチック組成物に混入した異系統のプラスチック組成物を有機溶媒を用いて分離する工程を有することを特徴とする請求項１〜４のいずれかに記載の廃棄物の再資源化方法。
【請求項６】
Ｅ工程において、有機溶媒は、テトラヒドロフランを含有することを特徴とする請求項５に記載の廃棄物の再資源化方法。
【請求項７】
Ｆ工程において、系統別に分離されたプラスチック組成物のうち熱可塑性プラスチック組成物を溶融した後、特定の形状に成形することを特徴とする請求項１〜６のいずれかに記載の廃棄物の再資源化方法。
【請求項８】
Ｆ工程において、系統別に分離されたプラスチック組成物のうち熱可塑性プラスチック組成物と、同系統の未使用の熱可塑性プラスチック組成物とを混合して溶融した後、特定の形状に成形することを特徴とする請求項１〜６のいずれかに記載の廃棄物の再資源化方法。
【請求項９】
Ｆ工程において、熱可塑性プラスチック組成物は、ポリオレフィン系プラスチック組成物であることを特徴とする請求項７または８に記載の廃棄物の再資源化方法。
【請求項１０】
Ｆ工程において、熱可塑性プラスチック組成物は、ポリスチレン系プラスチック組成物であることを特徴とする請求項７または８に記載の廃棄物の再資源化方法。
【請求項１１】
Ａ工程において、廃棄された製品に記載および／または添付された標章を認識することにより、同一系統のプラスチック組成物からなる部材の比重は一定の範囲内にあることを特徴とするプラスチック組成物からなる部材を備えた製品の廃棄物を選択的に回収することを特徴とする請求項１〜１０のいずれかに記載の廃棄物の再資源化方法。
【請求項１２】
プラスチック組成物からなる部材を備えた製品は、エアコン、テレビ、冷蔵庫および洗濯機よりなる群から選ばれる製品であることを特徴とする請求項１〜１１のいずれかに記載の廃棄物の再資源化方法。
【請求項１３】
請求項１〜１２のいずれかに記載の廃棄物の再資源化方法に用いる廃棄物の再資源化システムであって、Ｂ機構として、廃棄物を破砕する機構と、Ｃ機構として、破砕された廃棄物を金属系破砕物とプラスチック系破砕物と低嵩比重破砕物とに選別する機構と、Ｄ機構として、プラスチック系破砕物を比重の異なる複数の分離液を用いてプラスチック組成物の系統別に分離する機構と、Ｆ機構として、系統別に分離されたプラスチック組成物を特定の形状に成形する機構とを含むことを特徴とする廃棄物の再資源化システム。
【請求項１４】
Ｄ機構は、比重が１．０１〜１．０８の範囲にあるＸ分離液を満たした混合撹拌槽を有する比重分離装置と、比重が０．９２〜１．００の範囲にあるＹ分離液を満たした混合撹拌槽を有する比重分離装置を備えた機構であることを特徴とする請求項１３に記載の廃棄物の再資源化システム。
【請求項１５】
Ｄ機構において、比重分離装置は、プラスチック系破砕物を供給する手段と、分離液を供給する手段と、分離液を満たした混合撹拌槽と、分離液の液面に浮遊するプラスチック系破砕物を回収する手段と、混合撹拌槽の槽底に沈殿するプラスチック系破砕物を回収する手段とを有することを特徴とする請求項１４に記載の廃棄物の再資源化システム。
【請求項１６】
Ｅ機構として、Ｄ機構で系統別に分離されたプラスチック組成物に混入した異系統のプラスチック組成物をさらに分離するための有機溶媒を満たした混合撹拌槽を有する分離装置を備えた機構をさらに有することを特徴とする請求項１３〜１５のいずれかに記載の廃棄物の再資源化システム。
【請求項１７】
Ｆ機構は、押出成形装置を備えた機構であることを特徴とする請求項１３〜１６のいずれかに記載の廃棄物の再資源化システム。
【請求項１８】
請求項１〜１２のいずれかに記載の廃棄物の再資源化方法を用いたプラスチック組成物原料の製造方法。
【請求項１９】
請求項１〜１２のいずれかに記載の廃棄物の再資源化方法を用いたプラスチック組成物からなる部材の製造方法。
【請求項２０】
請求項１８に記載のプラスチック組成物原料の製造方法により製造されたプラスチック組成物原料。
【請求項２１】
ペレット状であることを特徴とする請求項２０に記載のプラスチック組成物原料。
【請求項２２】
請求項１９に記載のプラスチック組成物からなる部材の製造方法により製造されたプラスチック組成物からなる部材。
【請求項２３】
エアコン、テレビ、冷蔵庫および洗濯機よりなる群から選ばれる製品に用いられることを特徴とする請求項２２に記載のプラスチック組成物からなる部材。
【請求項２４】
プラスチック組成物からなる部材を備えた製品の廃棄物の再資源化方法であって、前記廃棄物を破砕する破砕工程と、プラスチック系破砕物を比重の異なる複数の分離液を用いてプラスチック組成物の系統別に分離する分離工程と、系統別に分離されたプラスチック組成物を特定の形状に成形する成形工程とを含むことを特徴とする廃棄物の再資源化方法。
【請求項２５】
前記廃棄物は、エアコン、テレビ、冷蔵庫および洗濯機からなる群から選ばれる家電製品であることを特徴とする請求項２４に記載の廃棄物の再資源化方法